(57)【要約】【課題】  持ち運びが便利なカメラを提供すること。【解決手段】  表示装置１２０とカメラ本体１ａとを着脱自在にする。表示装置１２０にリモコン機能を持たせ、カメラ１を使用するときには表示装置１２０を取り外し、リモコン装置とともに表示装置として機能させ、持ち運ぶときには表示装置をカメラ本体に装着して、一体的になったカメラを携行する。【選択図】  図１
2005080195.tif 000002
【特許請求の範囲】
【請求項１】
撮影光学系で固体撮像素子に被写体を結像させ、被写体を表わす画像データを得て、該画像データに基づく画像を表示するとともにレリーズ操作に応じて前記画像データを記録メディアに記録するカメラにおいて、
前記撮影光学系および固体撮像素子を備えて画像データを生成するカメラ本体と、
前記カメラ本体に着脱自在であって、該カメラ本体で得られた画像データに基づく画像を表示する表示画面を備えた表示装置とを備え、
前記表示装置は、このカメラに指示を与える操作子と、前記カメラ本体から離れた状態にあるときに前記カメラ本体から送信された画像データを受信するとともに前記操作子の操作状態を前記カメラ本体に向けて送信する通信装置とを備え、
前記カメラ本体は、離れた状態にある表示装置に向けて画像データを送信するとともに該表示装置から送信されてきた操作情報を受信する通信装置とを備えたものであることを特徴とするカメラ。
【請求項２】
前記表示装置は、前記操作子としてタッチパネルを備えたものであることを特徴とする請求項１記載のカメラ。
【請求項３】
前記表示装置が前記カメラ本体に装着された状態において、前記タッチパネルの操作を無効とする操作禁止部を備えたものであることを特徴とする請求項２記載のカメラ。
【発明の詳細な説明】
【技術分野】
【０００１】
本発明は、撮影光学系で固体撮像素子に被写体を結像させ、被写体を表わす画像データを得て、画像データに基づく画像を表示するとともにレリーズ操作に応じて画像データを記録メディアに記録するカメラに関する。
【背景技術】
【０００２】
カメラにはリモコン装置を備えたものがある（例えば特許文献１参照）。このリモコン装置を備えたカメラにあっては、カメラ本体から離れた位置で遠隔操作を行なって撮影や画像データに基づく画像の再生を行なえるという利点がある。
【０００３】
しかし、このリモコン装置を備えたカメラを携帯して旅行に出かけるときにはリモコン装置とカメラ本体とを別々に携えて出かけなければならないため、持ち運びに難がある。
【特許文献１】特開平８−２９３１８８号公報
【発明の開示】
【発明が解決しようとする課題】
【０００４】
本発明は、上記事情に鑑み、持ち運びが便利なカメラを提供することを目的とする。
【課題を解決するための手段】
【０００５】
上記目的を達成する本発明のカメラは、撮影光学系で固体撮像素子に被写体を結像させ、被写体を表わす画像データを得て、その画像データに基づく画像を表示するとともにレリーズ操作に応じて上記画像データを記録メディアに記録するカメラにおいて、
上記撮影光学系および固体撮像素子を備えて画像データを生成するカメラ本体と、
上記カメラ本体に着脱自在であって、そのカメラ本体で得られた画像データに基づく画像を表示する表示画面を備えた表示装置とを備え、
上記表示装置は、このカメラに指示を与える操作子と、上記カメラ本体から離れた状態にあるときに上記カメラ本体から送信された画像データを受信するとともに、上記操作子の操作状態を前記カメラ本体に向けて送信する通信装置とを備え、
上記カメラ本体は、離れた状態にある表示装置に向けて画像データを送信するとともにその表示装置から送信されてきた操作情報を受信する通信装置とを備えたものであることを特徴とする。
【０００６】
上記本発明のカメラによれば、上記表示装置がカメラ本体に着脱自在であって、その着脱自在な表示装置をカメラ本体から取り外すとその表示装置がリモコン装置になる。このように上記表示装置にリモコン機能を持たせると、カメラを携帯して出かける時には上記表示装置をカメラ本体に装着しておけば良く、持ち運びが便利になる。
【０００７】
ここで、前記表示装置は、前記操作子としてタッチパネルを備えたものであることが好ましく、またその表示装置がカメラ本体に装着された状態において、タッチパネルの操作を無効とする操作禁止部を備えたものであることが望ましい。
【０００８】
そうすると、表示装置の表示画面を見ながらタッチ操作によって遠隔操作を行なえる。また上記表示装置をカメラ本体に装着したときには上記操作禁止部によりタッチパネルの操作が無効とされるので、カメラ本体側にある操作子によって撮影が行なわれているときにタッチパネルに触ることがあってもこのカメラが誤動作することがない。
【発明の効果】
【０００９】
以上、説明したように、本発明のカメラによれば、持ち運びが便利なカメラを提供することをができる。
【発明を実施するための最良の形態】
【００１０】
以下、本発明の実施形態について説明する。
【００１１】
図１は本発明の実施形態を示すカメラを背面斜め上方から見た斜視図である。ここではカメラとしてビデオカメラを例に掲げている。
【００１２】
図１に示すように前方には撮影レンズ１０が配備されている。その撮影レンズ１０を前方側としてこのビデオカメラ１の背面側にはモード切替スイッチ１１が設けられており、このモード切替スイッチ１１の操作により、動画撮影（ＲＥＣ）、再生（ＰＬＡＹ）が切り替えられる。このモード切替スイッチ１１が撮影（ＲＥＣ）側に切り換えられると画像データに基づく画像がスルー画像として表示装置１２０の表示画面１２１１上に表示される。この画像データに基づく画像がスルー画像として表示画面１２１１に表示されているときに、そのモード切替スイッチ１１の隣にある録画ボタン１２が押されると、再度録画ボタン１２が押されるまで、撮影レンズ１０で捉えた被写体光に基づく動画像データがビデオカメラ内部の記録メディアに記録される。さらにモード切替スイッチ１１が再生（ＰＬＡＹ）側に切り換えられると、記録メディアに記録されている動画像データに基づく動画像が再生され、表示装置１２０の表示画面１２１１に既撮影動画像が表示される。
【００１３】
このビデオカメラ１が有する表示装置１２０は、表示画面としても機能するＬＣＤ１２１１とそのＬＣＤ１２１１を収容する筐体１２１０とからなり、その筐体１２１０がカメラ本体１ａに回動自在に取り付けられている。この筐体１２１１が図１に示すように回動されると、その表示装置１２０の表示画面１２１１をファインダ代わりに使用することができる。撮影者はその表示装置１２０の表示画面１２１１上に表示されている画像を見ながら撮影を行なう。また、図１に示す状態の表示装置１２０がカメラ本体１ａ側に回動されると、表示装置１２０がカメラ本体１ａに収容される。
【００１４】
また、この表示装置１２０は、カメラに指示を与える操作子１２２ａ，１２２ｂと、カメラ本体から離れた状態にあるときにカメラ本体から送信された画像データを受信するとともに、操作子１２２ａ，１２２ｂの操作情報をカメラ本体１ａに向けて送信する通信装置１３ａとを備えたものであり、カメラ本体１ａは、離れた状態にある表示装置１２０に向けて画像データを送信するとともにその表示装置１２０から送信されてきた操作情報を受信する通信装置１３ｂとを備えたものである。このため、この表示装置１２０は画像を表示するものとしてだけでなくリモコン装置としても使用される。この実施形態の例では操作子として表示装置１２０の表示画面１２１１の表面にタッチパネル１２２を配備し、そのタッチパネル１２２のタッチ操作による操作情報を通信装置１３ａによりカメラ本体１ａ側に伝えている。図１の下方には表示装置１２０がカメラ本体１ａから離れた状態にあるときに、表示画面１２１１にスルー画像が表示され、操作子に当たるタッチパネル１２２上にＭＯＤＥスイッチ１２２ａとＲＥＣスイッチ１２２ｂとが表示された例が示されている。このＭＯＤＥスイッチはモード切替スイッチとして働き、ＲＥＣスイッチは録画ボタンとして働く。
【００１５】
ここで表示装置１２０とカメラ本体１ａとを着脱自在に連結している連結機構の構成を、図２を参照して説明する。
【００１６】
図２はＬＣＤとカメラ本体との連結機構の構成を示す図である。
【００１７】
図２（ａ）は表示装置を上方から見た上面図、（ｂ）は正面図、（ｃ）は着脱ボタン廻りの構成を示す詳細図である。
【００１８】
図２（ａ）、図２（ｂ）に示すようにこの表示装置１２０の筐体１２１０の端部側にはカメラ本体１ａ側に設けられたコの字状のレール１ｂに嵌合するスライド部１２１０ａが設けられている。このスライド部１２１０ａがカメラ本体側に設けられているコの字状のレール１ｂに嵌め込まれ、ロックピン１５によってカメラ本体１ａに連結されている。なおこのコの字状のレール１ｂはカメラ本体１ａに回動軸１ｃによって回動自在に連結されている。
【００１９】
このようにコの字状のレールをカメラ本体に対し回動自在にしてあるので、表示装置内のＬＣＤとカメラ本体側とはフレキシブル基板（以下ＦＰＣという）１７により電気的に接続されている。
【００２０】
このＦＰＣ１７の端部に設けられているスプリングピン１７ａをそのコの字状のレール１ｂを貫通させて表示装置１２０側のＬＣＤ１２１１に弾性的に係合させ、コの字状のレールとともに表示装置が回動されてもカメラ本体と表示装置との電気的な接続が保たれるようになっている。
【００２１】
この表示装置１２０をカメラ本体１ａから取り外すときには表示装置１２０側の下端部に設けられている着脱ボタン１４を押しながらコの字状のレールに沿って表示装置１２０を滑らすことにより取り外しが行なわれる。
【００２２】
図２（ｃ）には着脱ボタン１４とこの表示装置をカメラ本体に連結させているロックピン１５との係わりが示されている。
【００２３】
図２（ｃ）に示すようにロックピン１５がカメラ本体側のコの字状のレール１ｂの端部にある孔１ｄを貫通してカメラ本体１ａ側にまで達している。このロックピン１５の端部には付勢用のバネ１６が設けられており、カメラ本体１ａに表示装置１２０が装着されたときには、バネ１６によりロックピン１５をカメラ本体側に付勢して、ロックピン１５をコの字レール１ｂを貫通させてカメラ本体１ａに係合させている。また、このバネ１６による付勢によって表示装置１２０をカメラ本体１ａ側に付勢することにより表示装置１２０とカメラ本体１ａとを密着させ、ＦＰＣの端部のスプリングの弾性力を活かして電気的にもカメラ本体と表示装置とをしっかりと嵌合させている。
【００２４】
ここで着脱ボタン１４が押されるとロックピン１５がどのように動くかを説明する。
【００２５】
この着脱ボタン１４とロックピン１５とはカム斜面１５１によって係合されており、着脱ボタン１４が押されると、着脱ボタン１４の端部がこのカム斜面をすべりロックピン１５を左方向に移動させる。着脱ボタン１４がさらに押し込まれるとロックピン１５がさらに左方向に移動し、押し切られるとロックピン１５が孔１ｄから外れる。このときには表示装置も若干左側に移動することによってスプリングピンの嵌合が外れ、表示装置を図２（ｂ）の下方に滑らせることによって表示装置１２０がカメラ本体１ａから外れる。
【００２６】
このようにして表示装置１２０とカメラ本体１ａとが着脱自在に連結されている。
【００２７】
このような連結機構を有するカメラのカメラ本体１ａ側にある信号処理部の構成を図に示す。
【００２８】
図３はデジタルカメラ１００の内部に配備された信号処理部の構成ブロック図である。図３を参照してデジタルカメラ１００内にある信号処理部の構成を説明する。
【００２９】
本実施形態のデジタルカメラ１ではすべての動作が統括的にＣＰＵ１１０によって制御されている。図２に示す画像入力コントローラ１１５以降の部分は、ＤＳＰで構成されており、このＤＳＰとＣＰＵ１１０とが協働して処理が行なわれる。
【００３０】
ここではまず、表示装置が装着されたまま、モード切替スイッチ１１が撮影側に切り替えられたときのＣＰＵ１１０の処理を説明する。
【００３１】
モード切替スイッチ１１がｒｅｃ側に切り換えられると、ＣＰＵ１１０は撮影モードであることを認識し、撮影レンズのうち、焦点調節自在なフォーカスレンズ１０１を合焦点に位置させ、所定の撮影画角内の被写体を固体撮像素子たとえばＣＣＤ１１１上に結像させる。ＣＣＤ１１１ではその合焦点に位置させたフォーカスンズにより結像した被写体を表わす画像データを生成する。このＣＣＤ１１１で生成した画像データをタイミングジェネレータ１１２のタイミング信号に応じて所定の間隔ごとに後段に出力させ、スルー画像を表示画面上に表示させる。ここでいうスルー画像とはこのビデオカメラ１のフォーカスレンズ１０１を含む撮影レンズ１０が向けられている方向の被写体を表わすスルー画像であり、撮影者は表示画面１２１１上に表示されているスルー画像をファインダ代わりにして撮影を行なう。
【００３２】
このスルー画像を生成するに当たり、焦点調節自在なフォーカスレンズ１０１を、撮影レンズ１０がいろいろな方向に向けられる度に合焦点位置に配置する必要がある。そこでスルー画像のピントずれが起きたときには、ＣＰＵ１１０はフォーカスレンズ１０１を被写体距離の最遠点に対応する位置から最近点に対応する位置までモータドライバ１０１ａにより移動させ、合焦点のサーチを行なっている。この合焦点のサーチを行なうときには、ＣＰＵ１１０から後段のＡＦ検出回路１２６にサーチを行なうという通知を行なって、フォーカスレンズを動かしながらＡＦ検出回路にコントラストのピークの検出を行なわせている。ＡＦサーチが終了したら、ＣＰＵ１１０はＡＦ検出回路１２６で検出された合焦点の位置を示すデータを受け取り、合焦点の位置にフォーカスレンズ１０１をモータドライバにより位置させている。このフォーカスレンズ１０１を移動させながら合焦点のサーチを行なうことをＡＦサーチと呼ぶ。
【００３３】
ＣＰＵ１１０は、撮影レンズ１０が向けられる方向が変わる度にフォーカスレンズ１０１を動かしながらＡＦ検出回路１２６にＡＦサーチを行なわせ、絶えず合焦点位置にフォーカスレンズ１０１を位置させるので、撮影レンズ１０が向けられる方向が変わってもすぐに焦点のあった画像がスルー画像としてＬＣＤ１２０上に表示される。
【００３４】
このようにＲＥＣ側に切り換えられ撮影レンズを動かして焦点調節が行なわれ、ＣＣＤで画像データを得た後、画像データがどのように処理されるかを説明する。
【００３５】
ＣＰＵ１１０は、ＣＣＤ１１１で得た画像データをタイミングジェネレータ１１２からＣＣＤ１１１にタイミング信号を供給させることにより所定の間隔ごとにＣＤＳＡＭＰ１１３側に出力させている。またＣＰＵ１１０は、ＣＤＳＡＭＰ１１３で画像データの雑音を低減させ、雑音を低減させた画像データをＡ／Ｄ変換部１１４に供給させている。さらにＣＰＵ１１０はこのＡ／Ｄ変換部１１４で画像データをデジタル信号に変換させ、このデジタル信号に変換された画像データをＤＳＰ側の画像入力コントローラ１１５によりバス側に導かせ、このバス側に導かせた画像データを一旦メモリ１１６に記憶させている。
【００３６】
ここからはバス１１０１を介してＤＳＰ側で処理が行なわれる。
【００３７】
このメモリに記憶した画像データをＣＰＵ１１０の指示に基づいて画像信号処理回路１１７が読み出し、表示画面１２１１上に表示可能なＹＣ信号の画像データへ変換している。この変換したＹＣ信号の画像データをＣＰＵ１１０の指示に基づいてＶＲＡＭ１１８に記憶し、このＶＲＡＭ１１８からビデオエンコーダを介してＬＣＤ１２０に供給して表示画面１２１１上に画像データに基づく画像を表示させている。
【００３８】
ＬＣＤ１２０ではＶＲＡＭ１１８の２つの記憶領域Ａ、Ｂから所定の間隔ごとに交互にＹＣ信号の供給を受けて、被写体を表わす画像を切り替えて表示画面上にスルー画像を表示させている。
【００３９】
以上が、モード切替スイッチ１１がＲＥＣ側に切り替えられたときに画像データを処理してスルー画像を得るときの画像データの流れである。
【００４０】
次に撮影モードのときに録画ボタン１２が押下され動画像の撮影が開始されたときの画像データの流れを説明する。
【００４１】
この録画ボタン１２が押下されたときには、録画ボタン１２が押下されたことをＣＰＵ１１０で検出し、ＣＰＵ１１０は、画像入力コントローラに導かせた画像データを一旦メモリ１１６に記憶させる。このメモリ１１６に記憶させた画像データを画像信号処理回路１１７が読み出し、画像信号処理回路１１７で処理を行ない、以降圧縮処理回路１２３、メディアコントローラ１２４を介して記録メディア１２５に撮影動画像を記録する。再度録画ボタンが押されたら、記録メディアへの記録を終了させ、スルー画像を再度表示装置の表示画面上に表示させる。
【００４２】
このようにＣＰＵ１１０とＤＳＰとを含んだ信号処理部で、スルー画像の処理や撮影に係る記録処理が行なわれる。
【００４３】
ここで表示装置がカメラ本体から取り外されたときにこの信号処理部でどのような処理が行なわれるかを説明する。
【００４４】
表示装置がカメラ本体から外されたときには、表示装置とカメラ本体双方が備える通信装置１３ａ，１３ｂによって画像データや操作信号のやり取りが行なわれる。これら通信装置を使って、表示装置側のタッチパネルの操作情報を表示装置側からカメラ本体に送信してカメラ本体の通信装置に受信させたり、スルー画像を表わすデータをカメラ本体から表示装置に送信して表示装置の通信装置にスルー画像を表わすデータを受信させたりする。
【００４５】
表示装置がカメラ本体に装着されているときにはスプリングピンが表示装置側に挿通されていることが電気信号の有無によってＣＰＵにより検出されており、このときにはタッチパネルの操作が行なわれてもＣＰＵはタッチパネルの操作を無効としている。ここで表示装置が取り外され、電気信号が無くなったことがＣＰＵにより検出されると、ＣＰＵはその通信装置の動作を開始させ、カメラ本体側にある通信装置から表示装置の通信装置へスルー画像を表わす画像データを送信し、表示装置に受信させ、カメラ本体に装着されていたときと同様に表示装置の表示画面にスルー画像を表示させる。このときには表示装置の表示画面の表面に配備されているタッチパネル上に図１に示す操作子（ＭＯＤＥ，ＲＥＣ）が表示される。この操作子の表示の処理はタッチパネル側で行なっており、タッチパネルではスプリングピンによるカメラ本体との電気的接続が切られたことを検出して操作子（ＭＯＤＥ，ＲＥＣ）を表示させている。
【００４６】
カメラ本体とは離れた位置にある表示装置にスルー画像を表示させている最中にそれら操作子のうちいずれかの操作子がタッチ操作されたら、操作されたことをトリガとしてこの表示装置は通信装置によってその操作情報をカメラ本体側に送信する。ＣＰＵはスルー画像を表わす画像データを表示装置に向けて送信するとともに、その画像データの送信を行なっているとき以外の空き時間に通信装置を受信状態に切り換えて外部からの信号の送信を待ち受けている。この待ち受け状態のときに操作情報が送信されてきたら、その操作信号に応じて撮影処理、再生処理を図３の各回路に行わせる。
【００４７】
そうすると、表示装置１２０が取り外されたときには、この表示装置１２０をスルー画像表示用としてだけでなく、遠隔操作用のリモコン装置として機能させることができる。また、ＬＣＤ装置がカメラ本体に装着されているときには、タッチパネルの操作を無効としてカメラ本体側にある操作子で通常のカメラのようにこのカメラを動作させることもできる。
【００４８】
このように表示装置にリモコン機能を持たせ、その表示装置とカメラ本体とを着脱自在にすると、持ち運ぶときには表示装置をカメラ本体に装着し一体的にして持ち運べ、撮影を行なうときにはその表示装置をカメラ本体から取り外し、表示装置をリモコン装置として遠隔操作によってカメラ本体側を動作させることができる。
【００４９】
なお、本実施形態ではビデオカメラを例に挙げたが、デジタルカメラであっても良い。
【図面の簡単な説明】
【００５０】
【図１】本実施形態であるカメラの外観を示す図である。
【図２】図１のカメラの表示装置とカメラ本体の連結部の構成を示す図である。
【図３】図１のカメラ内部に配備された信号処理部の構成を示す図である。
【符号の説明】
【００５１】
１    カメラ
１ａ    カメラ本体
１ｂ    コの字レール
１ｃ    回動軸
１ｄ    貫通孔
１０    撮影レンズ
１１    モード切替スイッチ
１２    録画ボタン
１３    通信装置
１３ａ  １３ｂ  投受光部
１２０    表示装置
１２１０  筐体
１２１１  表示画面（ＬＣＤ）
１２２    タッチパネル
【図１】
2005080195.tif 000003
【図２】
2005080195.tif 000004
【図３】
2005080195.tif 000005